(57)【要約】【課題】乳房を全体的または部分的に切除された女性が着用するブラジャーについて、その切除部分をおぎなうための乳房補完パッドを着用者ごとに個別に作製する手間を省き、製造コストの低廉化を図る。【解決手段】乳房補完パッド１４を下着のカップの乳房を収容する収容凹部全体とほぼ補完形状をなすように作製する。この乳房補完パッド１４は、雄面ファスナ１５ｃにより互いに着脱可能な複数の小パッド１５に分割されている。着用者は、乳房補完パッド１４全体から不要な小パッド１５を適宜取り除き、自身の乳房の切除箇所を過不足なく補完する形状へと調整可能である。乳房補完パッド１４の全体形状が統一されているため、個別に乳房の切除部分に対応する形状の乳房補完パッドを作製する場合に比べて、手間や製造コストを省ける。【選択図】図３
2012246577.tif 000002
【特許請求の範囲】
【請求項１】
乳房を全体的または部分的に切除された女性が着用するのに好適な下着であって、
背面側に前記乳房を収容する収容凹部を有する左右一対のカップと、
前記カップの収容凹部全体とほぼ補完形状をなし、前記各カップの背面に着脱可能な乳房補完パッドと、
前記各カップを前記乳房上に保持するための保持具と、を備え、
前記乳房補完パッドは、
互いに着脱可能な複数の小パッドに分割されている下着。
【請求項２】
前記各カップは、前記背面に多数のループを有し、
前記乳房補完パッドは、前記カップの背面との対向面に多数のフックを有し、
前記ループとフックの係合および係合解除により、前記乳房補完パッドは前記カップに着脱可能となっている請求項１に記載の下着。
【請求項３】
前記乳房補完パッドの各小パッドは、互いに対向し合う面に多数のループまたはフックを有し、
前記ループとフックの係合および係合解除により、互いに着脱可能となっている請求項１または２に記載の下着。
【発明の詳細な説明】
【技術分野】
【０００１】
本発明は、乳房を全体的または部分的に切除された女性が着用するのに好適な下着に関する。
【背景技術】
【０００２】
乳がんなどの乳房の疾患にともない、女性の乳房の患部を含めた箇所を切除する手術がおこなわれている。このような女性が着用するのに好適なブラジャー、ボディスーツ、カップ付きインナーなどのカップ部を有する下着として、乳房を収容する左右のカップに、その乳房の切除部分をおぎなう乳房補完パッドを挿入したものが知られている。
こうして乳房補完パッドを用いることにより、下着のフィット感が改善されるとともに、左右の乳房の形状やバランスが整って、見た目にも優れたものとなる。
【０００３】
ところでこの種の下着では、特許文献１に記載されているように、従来は患部切除後の乳房の形状をかたどって、着用者ごとに乳房補完パッドを作製していた。
この方法は、たしかに切除部分を正確に再現した乳房補完パッドを得られるという点では有効である。しかし、乳房補完パッドを着用者の乳房の形状に合わせて個別に作製するのは、非常に手間がかかり、これにともない製造コストも嵩む問題がある。
【先行技術文献】
【特許文献】
【０００４】
【特許文献１】実用新案登録第３１１８２２７号公報
【発明の概要】
【発明が解決しようとする課題】
【０００５】
そこで本発明は、乳房を全体的または部分的に切除された女性が着用するのに好適なブラジャー等の下着について、その切除部分をおぎなうための乳房補完パッドを着用者ごとに個別に作製する手間を省き、製造コストの低廉化を図ることを課題とする。
【課題を解決するための手段】
【０００６】
上記課題を解決するため、発明にかかる下着を、背面側に乳房を収容する収容凹部を有する左右一対のカップと、前記カップの収容凹部全体とほぼ補完形状をなし前記各カップの背面に着脱可能な乳房補完パッドと、前記各カップを前記乳房上に保持するためのベルトなどの保持具と、を備えるものとしたのである。
そして、前記乳房補完パッドは、互いに着脱可能な複数の小パッドに分割されているものとしたのである。
【発明の効果】
【０００７】
発明にかかる下着では、乳房補完パッドの全体形状が各カップの収容凹部全体と補完形状をなす形に統一されているため、個別に乳房の切除部分に対応する形状のものを作製する必要はなく、製造の手間やコストが抑えられる。特に今までの一品製作的なものと比べて、量産に適したものとすることができる。
【０００８】
そしてその下着の着用者は、乳房補完パッド全体から不要な小パッドを適宜取り除いていくか、または自身の乳房の形状に合うように小パッドを適宜組み合わせていくことで、乳房補完パッドの形状を自ら調整し、乳房の切除箇所を過不足なく補完するものとできる。
【図面の簡単な説明】
【０００９】
【図１】ブラジャーの正面図
【図２】ブラジャー着用時におけるカップ部分の断面図
【図３】（ａ）は乳房補完パッドの斜視図、（ｂ）は乳房補完パッドの一部分解斜視図
【図４】（ａ）は小パッドの斜視図、（ｂ）は（ａ）の矢印断面図、（ｃ）は小パッドの平面図
【図５】（ａ）はブラジャー付き肌着の正面図、（ｂ）はブラジャー付き肌着を裏返しにした正面図
【発明を実施するための形態】
【００１０】
以下、図面を参照しつつ、本発明の実施の形態について説明する。
図１および図２に示すように、実施の形態にかかるブラジャー１０は、各一対をなす、カップ１１と、保持ベルト１２と、ストラップ１３と、乳房補完パッド１４と、を備え、乳房を全体または部分的に切除した女性が着用するのに適した構造となっている。
【００１１】
図１および図２に示すように、左右一対のカップ１１は、その正面が凸曲面形となりその背面が凹曲面形となって、全体形状が背面に向けて開口する略椀型（フルカップ型）をなしている。その背面側に形成される収容凹部に、女性の左右の乳房Ｂを収容できるようになっている。
また図２のように、両カップの凹んだ背面のほぼ全域には、多数の小さなループ１１ａが形成されている。
このようなループ１１ａの形成態様は特に限定されないが、カップの背面に面ファスナの雌ファスナを貼り付けまたは縫い付けたり、カップの内面側の生地をフレンチパイル生地（小さなループパイルが多数起毛する生地）としたりすることが例示できる。
【００１２】
図１に示すように、帯状の保持ベルト１２は、左右のカップ１１を接続するフロントベルト１２ａと、各カップ１１より外方に延びる左右のバックベルト１２ｂとからなる。
両バックベルト１２ｂの先端部（外端部）には、雌雄のホック１２ｃが取り付けられている。カップ１１の収容凹部に乳房を収容した状態で、左右のバックベルト１２ｂをそれぞれ体の左右側面から背中へと巻きつけてホック１２ｃ同士を係合させると、着用状態となりカップ１１が乳房の上に保持される。
ホック１２ｃの雌雄いずれかは、バックベルト１２ｂの長さ方向に複列に設けられており、その係合箇所を調節することで、着用時に環状となる保持ベルト１２の周長をその着用者の体格に合わせて調節できるようになっている。
【００１３】
図１に示すように、左右のカップ１１の上部と左右同側のバックベルト１２ｂの上部との間に、平紐状のストラップ１３がそれぞれ接続されている。
一対のストラップ１３は、着用者の左右の肩にそれぞれかけることで、ブラジャー１０全体が着用位置からずれ落ちるのを抑制する。
各ストラップ１３には、アジャスタ１３ａが付属しており、これを操作することで着用者の体格に合わせて長さを調節できるようになっている。
【００１４】
図１および図３に示すように、乳房補完パッド１４は、その正面側がカップ１１の正面とほぼ同形をなす凸曲面形であり、その背面側がほぼフラットであって、全体形状がドーム型をなしている。
すなわち、乳房補完パッド１４とカップ１１の収容凹部とは、ほぼ補完形状をなしており、乳房補完パッド１４はカップ１１の収容凹部に過不足なく収まるようになっている。換言すれば、カップ１１に乳房補完パッド１４を収容した状態で、カップ１１の収容凹部の開口縁と乳房補完パッド１４のフラットな背面とは、ほぼ同一平面上に位置することになる。
このような乳房補完パッド１４は、全体として健常な乳房の形状を模したものとなっている。
【００１５】
図３および図４に示すように、各乳房補完パッド１４は、平面視がほぼ楕円形の小パッド１５を複数組み合わせることで形成されている。
図４（ｂ）に示すように、各小パッド１５は、芯体１５ａとこの芯体１５ａを包む袋体１５ｂとを有し、表面が凸曲面をなし、裏面が平面となっている。なお、裏面を凸曲面としたり凹曲面としたりしてもよい。
芯体１５ａはポリウレタンなどの発泡樹脂からなり、袋体１５ｂはフレンチパイル生地で形成されている。
【００１６】
図４（ａ）および（ｃ）に示すように、平面視がほぼ楕円形の小パッド１５は、その表面の長軸方向の両端部に、平面視円形の雄面ファスナ１５ｃが貼り付けまたは縫い付けられることで取り付けられている。
各小パッド１５の表裏面は、小さなループパイルが多数起毛するフレンチパイル生地からなるため、図３のように、隣接する一方の小パッド１５の雄面ファスナ１５ｃ（フック）を他方の小パッド１５の表裏面（ループ）に着脱可能となっている。
これにより、椀型の乳房補完パッド１４の組立および分解が可能となっている。
【００１７】
図３のように、乳房補完パッド１４の膨らんだ正面には、小パッド１５の一部の雄面ファスナ１５ｃが露出している。
この乳房補完パッド１４の雄面ファスナ１５ｃ（フック）を、カップ１１のループ１１ａに係合させ、また係合を解除させることで、乳房補完パッド１４は、カップ１１の背面に対して着脱可能となっている。
【００１８】
実施形態のブラジャー１０の構成は以上のようであり、いまこれを乳房が部分的に切除された女性が着用する場合には、まずその乳房補完パッド１４全体と自身の乳房とを比較して、乳房補完パッド１４が乳房と補完形状をなすように、全体から小パッド１５を適宜取り除いてゆくか、または小パッドを適宜組み合わせてゆく。
図２のように、乳房補完パッド１４が乳房Ｂと補完形状をなすように調整したうえで、これをカップ１１の収容凹部内に取り付ける。
【００１９】
この状態でカップ１１の収容凹部に乳房Ｂを収容し、保持ベルト１２を留めてブラジャー１０を着用すると、乳房補完パッド１４が自身の乳房Ｂの形状に対応しているため、フィット感が良好であり、また左右の乳房の大きさ、形のバランスが取れて、きれいにも見える。
カップ１１の背面には、乳房Ｂが部分的に接触することもあるが、その接触箇所には尖ったフックではなく丸みを帯びたループ１１ａが形成されているため、肌触りがよく、チクチクすることがない。同様に、乳房補完パッド１４を構成する各小パッド１５の表裏面は雄面ファスナ１５ｃを除いてフレンチパイルからなるため、チクチクすることが抑制されている。
なお、露出している雄面ファスナ１５ｃには、フレンチパイルの布辺を被せるなどして、肌に直接当たらないようにすることもできる。
【００２０】
乳房補完パッド１４の全体形状が、各カップ１１の収容凹部全体と補完形状をなすドーム型に統一されているため、個別に乳房の切除部分に対応する形状の乳房補完パッドを作製する場合に比べて、手間や製造コストを省くことができ、量産に好適なものである。
【００２１】
カップ１１、保持ベルト１２およびストラップ１３の材質、形状および構造としては、この実施形態や図示したものに限定されず、従来公知のものを適用可能である。
たとえば、カップ１１はワイヤ入りでもワイヤレスでもいずれでもよい。またカップ１１はフルカップ型でもハーフカップ型（３／４カップ等も含む）でもいずれでもよい。カップ１１は、モールドタイプのものでもよいし、バイリーン等を継ぎ合わせて成型したものでもよい。
保持ベルト１２は、フロントホック型でもバックホック型でもいずれでもよい。保持ベルト１２は、ホックのかわりに、面ファスナやスナップボタンを使用しても構わないし、これら固定具を有しないリング型で伸縮性に富んだものとしてもよい。
ストラップ１３は、カップ１１や保持ベルト１２から取り外し可能としてもよいし、ストラップレスのものでもよい。また左右のストラップ１３は、平行なものだけに限られず、背面側でクロスしているものや、背面側で合流して一つになっているものでもよい。ストラップ１３のアジャスタを省略してもよい。
カップ１１、保持ベルト１２、ストラップ１３の主たる素材は、綿素材やシルク素材などの天然素材、ポリエステルやナイロンなどの合成繊維素材のいずれでもよい。いずれの場合も、ポリウレタン糸を挿入したり織り込んだり編み込んだりすることで、伸縮性を持たせるのが好ましい。
同様に、カップ１１のワイヤ、保持ベルト１２のホック、ストラップ１３のアジャスタ等も、金属製でも合成樹脂製でもいずれでもよい。
【００２２】
乳房補完パッド１４の分割態様は実施形態に限定されない。たとえば、乳房補完パッド１４を賽の目切り状態に分割（ＸＹＺ座標軸において、Ｘ方向、Ｙ方向、Ｚ方向のいずれの方向にも分割）してもよい。
また乳房補完パッド１４を上下あるいは左右に輪切り状態に分割したり（ＸＹＺ座標軸における、Ｘ方向、Ｙ方向、Ｚ方向のいずれか一方向のみに分割）、上下左右に短冊切り状態に分割したり（ＸＹＺ座標軸における、Ｘ方向、Ｙ方向、Ｚ方向のうちの二方向に分割）してもよい。
細分化の程度も特に限定されず、乳房補完パッド１４は、たとえば数パーツ〜数十パーツの小パッド１５から構成される。
【００２３】
乳房補完パッド１４の材質も実施形態に限定されず、たとえば芯体１５ａとしてビーズや不織布、綿（わた）、シリコン樹脂、ウレタン樹脂を用いてもよい。芯体１５ａに発泡樹脂を用いる場合にも、連続気泡のものでも独立気泡のものでも、また低反発タイプのものでも高反発タイプのものでも、いずれでもよいし、それらの多層構造に組み合わせたものであってもよい。また、芯体１５ａが保形性を有する限りにおいて、袋体１５ｂを省略してもよい。袋体１５ｂは、通気性が向上するようにメッシュ状にしてもよい。
乳房補完パッド１４の全体形状もカップ１１の収容凹部全体と補完形状をなす限りにおいて、変更可能である。たとえばカップ１１がハーフカップ型であれば、それと補完形状をなす中実の半ドーム型とすることができる。乳房補完パッド１４の背面は、微少に凹凸があってもよい。
【００２４】
乳房補完パッド１４のフック１５ｃやカップ１１のループ１１ａは、乳房補完パッド１４全体がカップ１１に着脱可能である限りにおいて、全域に設ける必要はなく部分的に設けてもよい。
また、乳房補完パッド１４とカップ１１の着脱構造、および小パッド１５相互の着脱構造は、実施形態のようにフックとループからなる面ファスナ構造が好ましいが、これに限定されず、スナップボタン、粘着テープ、スライドファスナ等でもよい。
【００２５】
また実施形態では、本発明の下着の一例としてブラジャー１０を挙げたが、カップ１１と、乳房補完パッド１４と、カップ１１を乳房上に保持するための保持具（実施形態では保持ベルト１２およびストラップ１３）を備える限り、ブラジャーとガードルなどの他の下着とが一体化されたものにも本発明を適用可能である。このような一体型の下着として、ボディスーツ、図５のようなブラジャー１０付きの肌着１（タンクトップタイプ、Tシャツタイプなど）が例示できる。
【００２６】
本発明の下着は、乳房が部分的に切除された女性が着用するのに特に好適なものであるが、用途はこれに限定されず、生まれつき左右の乳房の形状が大きく異なっている女性が左右のバランスを整える際や、乳房の大きさが極端に変わる妊婦などにも無論使用可能である。
【符号の説明】
【００２７】
１      肌着
１０    ブラジャー
１１    カップ
１１ａ  ループ
１２    保持ベルト
１２ａ  フロントベルト
１２ｂ  バックベルト
１２ｃ  ホック
１３    ストラップ
１３ａ  アジャスタ
１４    乳房補完パッド
１５    小パッド
１５ａ  芯体
１５ｂ  袋体
１５ｃ  雄面ファスナ
Ｂ  乳房
【図１】
2012246577.tif 000003
【図２】
2012246577.tif 000004
【図３】
2012246577.tif 000005
【図４】
2012246577.tif 000006
【図５】
2012246577.tif 000007
【手続補正書】
【提出日】平成23年7月26日(2011.7.26)
【手続補正１】
【補正対象書類名】特許請求の範囲
【補正対象項目名】全文
【補正方法】変更
【補正の内容】
【特許請求の範囲】
【請求項１】
乳房を全体的または部分的に切除された女性が着用するのに好適な下着であって、
背面側に前記乳房を収容する収容凹部を有する左右一対のカップと、
前記カップの収容凹部全体とほぼ補完形状をなし、前記各カップの背面に着脱可能な健常な乳房の全体形状を模した乳房補完パッドと、
前記各カップを前記乳房上に保持するための保持具と、を備え、
前記乳房補完パッドは、
互いに着脱可能な複数の小パッドに分割されている下着。
【請求項２】
前記各カップは、前記背面に多数のループを有し、
前記乳房補完パッドは、前記カップの背面との対向面に多数のフックを有し、
前記ループとフックの係合および係合解除により、前記乳房補完パッドは前記カップに着脱可能となっている請求項１に記載の下着。
【請求項３】
前記乳房補完パッドの各小パッドは、互いに対向し合う面に多数のループまたはフックを有し、
前記ループとフックの係合および係合解除により、互いに着脱可能となっている請求項１または２に記載の下着。
【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
乳房を全体的または部分的に切除された女性が着用するのに好適な下着であって、
背面側に前記乳房を収容する収容凹部を有する左右一対のカップと、
前面側が凸曲面形であり、背面側がほぼフラットであり、前記各カップの収容凹部に過不足なく収容されるドーム型の乳房補完パッドと、
前記各カップを前記乳房上に保持するための保持具と、を備え、
前記カップの収容凹部の背面には多数のループが形成されており、
前記乳房補完パッドは、扁平な平面視楕円形の小パッドを複数組み合わせる事で形成されており、かつ各小パッドは外面に多数のループとフックとを有し、
前記小パッド同士は、前記ループとフックとの係合および係合解除により、互いに着脱可能となっており、
かつ前記乳房補完パッドと前記カップとは、前記乳房補完パッドの外面に露出する小パッドのフックと、前記収容凹部のループとの係合および係合解除により、互いに着脱可能となっている下着。
【手続補正２】
【補正対象書類名】明細書
【補正対象項目名】０００６
【補正方法】変更
【補正の内容】
【０００６】
上記課題を解決するため、発明にかかる下着を、背面側に前記乳房を収容する収容凹部を有する左右一対のカップと、前面側が凸曲面形であり、背面側がほぼフラットであり、前記各カップの収容凹部に過不足なく収容されるドーム型の乳房補完パッドと、前記各カップを前記乳房上に保持するための保持具と、を備えるものとしたのである。
そして、前記乳房補完パッドは、扁平な平面視楕円形の小パッドを複数組み合わせる事で形成されており、かつ各小パッドは外面に多数のループとフックとを有するものとしたのである。
また、その小パッド同士は、前記ループとフックとの係合および係合解除により、互いに着脱可能となっているものとしたのである。
かつ前記乳房補完パッドと前記カップとは、前記乳房補完パッドの外面に露出する小パッドのフックと、前記収容凹部のループとの係合および係合解除により、互いに着脱可能となっているものとしたのである。
【手続補正３】
【補正対象書類名】明細書
【補正対象項目名】００２２
【補正方法】変更
【補正の内容】
【００２２】
細分化の程度も特に限定されず、乳房補完パッド１４は、たとえば数パーツ〜数十パーツの小パッド１５から構成される。
【手続補正４】
【補正対象書類名】明細書
【補正対象項目名】００２４
【補正方法】変更
【補正の内容】
【００２４】
乳房補完パッド１４のフック１５ｃやカップ１１のループ１１ａは、乳房補完パッド１４全体がカップ１１に着脱可能である限りにおいて、全域に設ける必要はなく部分的に設けてもよい。